(57)【特許請求の範囲】
【請求項１】
画像形成装置本体に対して外部から記録紙を供給する給紙装置において、
前記画像形成装置本体内の開口部内に回転自在に配設された給紙ローラと、
記録紙先端部を載置して、該記録紙先端部を前記給紙ローラ表面に押圧する押圧位置と、前記記録紙先端部の押圧を解除する離間位置とを選択的に取得可能な記録紙押圧手段と、
前記押圧位置及び前記離間位置との間の前記記録紙押圧手段の移動を制御する移動制御手段とを有し、
前記移動制御手段の操作により前記記録紙先端部の押圧を解除可能に構成され、さらに前記移動制御手段は前記離間位置において、前記記録紙押圧手段と係合して自己保持されることを特徴とする給紙装置。
【請求項２】
画像形成装置本体に対して外部から記録紙を供給する給紙装置において、
前記画像形成装置本体内の開口部内に回転自在に配設された給紙ローラと、
記録紙先端部を載置して、該記録紙先端部を前記給紙ローラ表面に押圧する押圧位置と、前記記録紙先端部の押圧を解除する離間位置とを選択的に取得可能な記録紙押圧手段と、
前記押圧位置及び前記離間位置との間の前記記録紙押圧手段の移動を制御する移動制御手段とを有し、
前記移動制御手段の操作により前記記録紙先端部の押圧を解除可能に構成し、さらに、前記移動制御手段は、前記押圧位置において、記録紙表面と当接して記録紙を当接保持する保持面を有することを特徴とする給紙装置。
【請求項３】
前記保持面は、記録紙の進行方向に沿って延在し、記録紙を、両側端側をガイドするガイド手段の領域内の記録紙表面と当接するように配設されていることを特徴とする請求項２記載の給紙装置。
【請求項４】
前記画像形成装置本体に着脱可能に構成され、前記開口部に格納される格納位置と、記録紙を重力方向に対して傾斜して給送する給送位置とを選択的に取得可能に構成したことを特徴とする請求項１又は２記載の給紙装置。
【請求項５】
前記記録紙押圧手段の下流側に前記離間位置において、記録紙の先端が当接する先端当接面と、該先端当接面に延設して、記録紙を介して前記給紙ローラを押圧する表面当接面とを有する前記給紙ローラに対して接離自在な記録紙分離手段を設け、
前記移動制御手段の操作により、前記表面当接面より上流側の記録紙の先端部の押圧を解除して、記録紙の先端を前記先端当接面側に退避させることを特徴とする請求項１又は２記載の給紙装置。
【発明の詳細な説明】
【０００１】
【発明の属する技術分野】
本発明はプリンタ、複写機、ファクシミリ等に適用される給紙装置、特に、画像形成装置本体に対して、着脱可能に構成され、外部から記録紙の供給が可能な給紙装置に関する。
【０００２】
【従来の技術】
従来より、画像形成装置本体内に格納されている記録紙が、自動的に給送されて転写される格納記録紙給紙装置の他に、一般的に手差し装置と呼ばれる画像形成装置外部からサイズまたは紙質の異なる記録紙を供給する外部記録紙給紙装置が知られている。
【０００３】
また、初期の安価な複写装置においては、本体内の前記格納記録紙給紙装置を持たずに、本体に着脱可能に構成された前記外部記録紙給紙装置が装着されている。
【０００４】
一方、記録媒体は、普通紙以外に、ハガキ、封筒、便せん、ＯＨＰシート、その他多数の記録紙が存在し、使用目的によって、これらの記録媒体を選択して使用される。
したがって、前記外部記録紙給紙装置は、同じ材質の記録媒体のみを用いるのではなくて、異なった記録媒体を使用可能とする機能が要求される。
【０００５】
しかしながら、材質が異なる記録媒体は、その厚さ、強度、摩擦抵抗等が異なり、給紙ローラが記録媒体に接触して送り出す物理的条件は微妙に異なる。
例えば、給紙ローラが普通紙で給紙可能に調整設定されていたとしても、摩擦抵抗の少ないＯＨＰシートの場合において、普通紙の設定条件のままでは良好な給紙は困難である。すなわち、より給紙ローラにＯＨＰシートを押圧接触させるとともに、給紙方向に若干の押圧力を付加する必要がある。
【０００６】
また、ハガキ、封筒等においても普通紙とは曲げ強度の点でも異なり、普通紙仕様では給送が困難である。
このような理由から、材質の異なる記録媒体には、それ専用の給紙装置仕様が必要となる。
【０００７】
上述したように、記録媒体の材質の相違に対応して給紙装置仕様が異なる外部記録紙給紙装置を複数用意して選択使用することにより、良好な給紙を実現することができる。
よって、専用の給紙装置仕様に則って、供給される記録媒体に合わせて給紙ローラを用意し、記録媒体を該給紙ローラに適宜の押圧力で接触させて前記外部記録紙給紙装置を構成すればよい。
【０００８】
【発明が解決しようとする課題】
しかしながら、画像記録装置本体に、脱着する給紙装置の場合は、該給紙装置で記録媒体のジャムが発生した際には、前記給紙ローラで給送中の記録媒体を除去するには、前記給紙装置を取り外すか、また、前記給紙ローラに適宜の押圧力で接触している記録媒体を前記押圧力に抗して引き抜く必要がある。
【０００９】
前記給紙装置を取り外す場合であっても、また、記録媒体を引き抜く場合であっても、それらの操作中に記録媒体が破損し、記録媒体の破片が画像形成装置本体内に侵入して、機構部分に駆動上の不都合状態を惹起したり、もしくは画像の転写部材に張り付き、画像形成に影響を与える等の問題があった。
【００１０】
本発明は上述の事情に鑑み、簡単な操作で記録媒体のジャム処理を可能とする給紙装置を提供することを目的とする。
また、本発明の他の目的は、コストの上昇を押さえ、簡単な構成の給紙装置を提供することである。
【００１１】
【課題を解決するための手段】
本発明は、画像形成装置本体に対して外部から記録紙を供給する給紙装置において、
前記画像形成装置本体内の開口部内に回転自在に配設された給紙ローラと、
記録紙先端部を載置して、該記録紙先端部を前記給紙ローラ表面に押圧する押圧位置と、前記記録紙先端部の押圧を解除する離間位置とを選択的に取得可能な記録紙押圧手段と、
前記押圧位置及び前記離間位置との間の前記記録紙押圧手段の移動を制御する移動制御手段とを有し、
前記移動制御手段の操作により前記記録紙先端部の押圧を解除可能に構成され、さらに前記移動制御手段は前記離間位置において、前記記録紙押圧手段と係合して自己保持されることを特徴とする。
また、本発明は、画像形成装置本体に対して外部から記録紙を供給する給紙装置において、
前記画像形成装置本体内の開口部内に回転自在に配設された給紙ローラと、
記録紙先端部を載置して、該記録紙先端部を前記給紙ローラ表面に押圧する押圧位置と、前記記録紙先端部の押圧を解除する離間位置とを選択的に取得可能な記録紙押圧手段と、
前記押圧位置及び前記離間位置との間の前記記録紙押圧手段の移動を制御する移動制御手段とを有し、
前記移動制御手段の操作により前記記録紙先端部の押圧を解除可能に構成し、さらに、前記移動制御手段は、前記押圧位置において、記録紙表面と当接して記録紙を当接保持する保持面を有することを特徴とする。
【００１２】
図１に示すように、給紙装置用給紙ローラ５１は画像形成装置本体内の給紙装置取付開口部７２内に配置されている。
そして、画像形成装置本体に、一の給紙装置（フィーダ）６５を、前記給紙装置取付開口部７２内に格納される格納位置と、記録紙を重力線に対して傾斜して給送する給送位置とを選択的に取得可能であるとともに、着脱可能に構成している。
【００１３】
また、給紙装置６５内に、記録紙先端部を載置し、該記録紙先端部を前記給紙ローラ５１表面に押圧する押圧位置と、前記記録紙先端部の押圧を解除する離間位置とを選択的に取得可能な記録紙押圧手段（ボトムプレート）６４が設けられている。
【００１４】
また、移動制御手段（紙押さえ）６０が配設され、該移動制御手段６０の操作により前記押圧位置及び前記離間位置との間の前記記録紙押圧手段６４の移動が制御され、前記移動制御手段６０の操作により、前記記録紙押圧手段６４は前記離間位置に移動し、前記記録紙先端部の前記給紙ローラ５１への押圧を解除する。
【００１５】
したがって、前記記録紙先端部は前記給紙ローラ５１から離間して、すくなくとも、ジャムした記録紙を残して、前記離間位置に復帰し、前記給紙ローラ５１への押圧力が解除されているので、容易にジャムした記録紙を排除することができる。
【００１６】
また、前記記録紙押圧手段６４の下流側に前記離間位置において、記録紙の先端が当接する先端当接面と、該先端当接面に延設して、記録紙を介して前記給紙ローラを押圧する表面当接面とを有する前記給紙ローラに対して接離自在な記録紙分離手段を設け、
前記移動制御手段の操作により、前記表面当接面より上流側の記録紙の先端部の押圧を解除して、記録紙の先端を前記先端当接面側に退避させるように構成することも本発明の有効な手段である。
【００１７】
前記記録紙押圧手段６４の下流側には、記録紙分離手段６１が設けられている。該記録紙分離手段６１は、記録紙を介して前記給紙ローラを押圧する表面当接面（フリクションパッド）６２を有しているので、該記録紙分離手段に記録紙がジャムする場合があるが、その場合は、前記移動制御手段６０の操作により、前記表面当接面より上流側の記録紙の先端部の押圧を解除して、記録紙の先端を前記先端当接面側に退避させることにより、前記表面当接面６２と前記給紙ローラ５１間にジャムした記録紙以外は、前記離間位置に退避し、また、前記記録紙分離手段６１は前記給紙ローラ５１に対して接離自在であるために、記録紙の上面から記録紙分離手段６１を押すことにより容易にジャムした記録紙を引き出すことができる。
【００１８】
そして、前述したように、前記移動制御手段６０を、前記離間位置において、前記記録紙押圧手段６４と係合して自己保持されるように構成すると、操作者が前記移動制御手段を押さえて、前記離間位置に保持する必要はなく、容易にジャムした記録紙を排除することができる。
【００１９】
また、前述のように、前記移動制御手段６０を、前記押圧位置において、記録紙表面と当接して記録紙を当接保持する保持面を有して構成し、さらには、前記保持面を、記録紙の進行方向に沿って延在し、記録紙を両側端側をガイドするガイド手段の領域内の記録紙表面と当接するように配設して構成することも本発明の有効な手段である。
【００２０】
すなわち、図１に示すように、フィーダ６５の記録紙載置面７３上に記録紙６６は載置されるが、移動制御手段（紙押さえ）６０の保持面６０ｂは、ボトムプレート６４による記録紙６６を給紙ローラ５１に押圧する押圧位置において、記録紙の表面を重力により当接して保持している。したがって、記録紙６６が上方に浮き、給紙状態が変化してジャムを起因する恐れが少ない。
【００２１】
また、記録紙の両側端側をガイドするガイド手段の領域内の記録紙表面と当接するように前記当接面を配置する場合は、記録紙の浮きとともに、左右のズレを押さえ良好な給紙動作を実現することができる。なお、給紙装置は、例えば、前記画像形成装置本体に着脱可能に構成され、前記開口部に格納される格納位置と、記録紙を重力方向に対して傾斜して給送する給送位置とを選択的に取得可能に構成する。
【００２２】
【発明の実施の形態】
以下、図面に基づいて本発明の実施の形態を例示的に詳しく説明する。但しこの実施の形態に記載されている構成部品の寸法、材質、形状、その相対配置などは特に特定的な記載がない限りは、この発明の範囲をそれのみに限定する趣旨ではなく単なる説明例に過ぎない。
【００２３】
図９は本発明に適用される画像形成装置の一実施の形態を示し、該画像形成装置１には、図上時計回りに回転するａ−Ｓｉ感光体ドラム（感光体）９の周囲に、回転方向に沿って、現像器１０、転写ローラ１９、クリーニング用の摺察ローラ１１、クリーニングブレード１３、及び帯電ユニット８が配設されている。
【００２４】
現像器１０には、現像ローラ３２が配設され、該現像ローラ３２の表面は前記感光体９の表面と所定間隔離間している。
そして、現像器１０はトナーコンテナ３１から適宜所定量のトナーが供給可能に構成されている。
また、トナーコンテナ３１に上方には上部扉７が基部７ａを中心として矢印方向に開閉可能に配置され、トナーコンテナ３１を脱着可能に構成している。
【００２５】
感光体９の上部には感光体９の表面に画像のドットを形成するスキャナユニット５が設けられ、該スキャナユニット５は図示しないレーザ光源からのレーザ光を反射するポリゴンミラー２、前記レーザ光を反射ミラー４を介して帯電ユニット８と現像ローラ３２との間の感光体表面に画像ドットを結像する走査光学系３を有して構成されている。
【００２６】
画像形成装置１の下部には、該装置を制御する制御回路が収納される基部５４が設けられ、該基部５４の上側には記録紙カセット８０が外部から着脱可能に配置され、該記録紙カセット８０には転写前記録紙収納庫１４が設けられ、押圧板５２上に載置された記録紙は搬送ローラ５３及び１５により通路１６および１７を通ってレジストローラ１８、３０まで搬送可能に構成されている。
【００２７】
画像形成装置１の右側には後述する外部記録紙給紙装置（６５）として機能する前方扉５０が、仮想線で示す５０′のように開閉可能に配置され、前方扉５０が５０′のごとく開成すると、その前方扉５０′に載置される記録紙は給紙ローラ５１により通路１７に搬送可能に構成されている。
そして、前記給紙ローラ５１は、その表面を、記録紙の摩擦係数より大きな所定の摩擦係数μ１を有したゴムにて形成されている。
【００２８】
また、コロ５５は、前記前方扉５０が画像形成装置本体内の給紙装置取付開口部７２から取り外されている状態においては、図示しない外部給紙装置により多量の枚数の記録紙を画像形成装置本体に供給する際において、付勢力により前記給紙ローラ５１と押圧接触して、従動する。
【００２９】
画像形成装置１の左方には、定着ローラ２３及び２４によって定着部が構成され、感光体９と転写ローラ１９間を通過した記録紙は定着ローラ２３、２４により定着され、定着後の記録紙は搬送ローラ２５、２６により通路２７を通って、ローラ２８、２９により排紙部６に集積されるように構成されている。
【００３０】
また、画像形成装置１の上部には各種情報を表示する表示部４７、インストールスイッチ４８及び電源スイッチ４９等が設けられている。
【００３１】
このように構成された画像形成装置１は、電源スイッチ４９を閉成すると、図示しないメインモータの駆動を開始し、図示しないスタートスイッチにより感光体９が時計方向に回転し、スキャナユニット５が感光体９の表面に画像を形成し、該画像は現像器１０の現像ローラ３２により現像され、この現像された画像は転写ローラ１９により記録紙に転写され、定着ローラ２３、２４により定着され、ローラ２５，２６，２８，２９により排紙部６に搬送されて集積される。
【００３２】
次に、図２〜図５を用いて外部記録紙給紙装置（フィーダ）６５の構成を説明する。図２は、フィーダに記録紙が装着されていない状態を示す構成図、図３は、記録紙をフィーダに装着した状態を示す構成図、図４は、後板６７を引き起こした状態を示す構成図、図５は後板支持板６８を前方扉内から引き出した状態を示す構成図である。
【００３３】
前方扉５０内には、記録紙を受ける後板６７を格納した後板支持板６８が引き出し可能に収納され、前記後板支持板６８を引き出した状態で、後板６７は図３、図４の状態に引き起こすことができる。
【００３４】
前方扉５０を外面に有する箱体７５には、幅方向に延在する記録紙載置面７３と該載置面７３上に設けられ、幅方向にスライド可能なペーパーガイド７６とが配設されている。
【００３５】
また、図２に示すように、箱体７５には、６０ａを回動中心として回動可能な紙押さえ６０が配設され、該紙押さえ６０は押さえ部６０ｂが前記記録紙載置面７３と当接する実線で示す位置と、爪部６０ｆと後述するボトムプレート６４の突起６４ｃと係合して保持される仮想線で示す離間位置とを選択的に取得可能に構成されている。
【００３６】
ボトムプレート６４は、箱体７５内の幅方向に延在して、６４ａと回動中心として回動可能に構成され、幅方向両端部分に前記紙押さえ６０の爪部６０ｆと係合する一対の突起６４ｃ，６４ｃが設けられ、バネ６３により時計方向に回動習性が付与されている。
【００３７】
また、図３に示すように、箱体７５には、記録紙６６を収納するときに、記録紙６６の先端が当接する当接面７４を有したセパレータ６１が、６１ａを回動中心として回動可能に配設されている。
このセパレータ６１は、図４に示すように、門状に形成され門の上梁部分の上面に所定摩擦係数μ２を有したゴム製のフリクションパッド６２が貼設されている。
そして、この摩擦係数μ２は、記録紙の摩擦係数より大きく、且つ、給紙ローラ５１の摩擦係数μ１より小さな値に設定される。尚、フリクションパッド６２の材質はゴム以外に、コルク、人工皮革等の使用が可能である。
【００３８】
また、図４に示すように、箱体７５には、画像形成装置本体の開口部７２に配設した支持ダボ５８、５８（図６）に係合してフィーダ６５が回動可能に保持される係合部７５ａ，７５ｂが設けられている。
【００３９】
図６は画像形成装置のフィーダ取付部分を示す斜視図である。同図において、画像形成装置本体の開口部７２には、図示しない駆動源からの駆動力が減速機構からクラッチを介して伝達される給紙ローラ５１が配設されている。そして、該給紙ローラ５１の大部分は給紙ローラカバー５７によって覆われ、前記給紙ローラ５１の下方にはコロ５５が軸５５ａを回転中心として回転自在に配置され、前記軸５５ａは、コロ保持部５６内に設けたバネ５９により給紙ローラ５１の表面に向かってコロ５５が押圧されるように、付勢され、スリット５６ａ内を摺動可能に設けられている。
【００４０】
上述したように構成されたフィーダ６５の係合部７５ａ，７５ｂを、図６に示す支持ダボ５８、５８に係合すると、図７及び図１０の（ａ）に示す状態でフィーダ６５が画像形成装置本体に装着される。
この状態においては、フィーダの一面は外面として前記画像形成装置本体の側壁を兼ねるように装着され、フィーダの外面は前面扉となり画像形成装置本体内にフィーダを違和感なく収納することができる。
【００４１】
画像形成装置本体に収納されたフィーダ６５は、図７（ａ）の状態において、凹部７５ｄに指を挿入して右方に引くことでフィーダ６５を（ｂ）に示すごとく傾斜して配置することができる。このときに、セパレータ６２は給紙ローラ５１とコロ５５との間に挿入され、コロ５５の付勢力によってセパレータ６２は所定の押圧力で給紙ローラ５１表面に押圧している。
【００４２】
次に、フィーダ６５に記録紙を収納する動作を説明する。図２に示すように、実線で示す紙押さえ６０を反時計方向に回動すると、紙押さえ６０の爪部６０ｆの先端はボトムプレート６４の上面を押し、ボトムプレート６４は反時計方向に回動し、爪部６０ｆはボトムプレート６４の突起６４ｃを乗り越えて、その位置で紙押さえ６０は仮想線６０′で示すように保持される。この状態においては、紙押さえ６０の押さえ部６０ｂは記録紙載置面７３から離間した位置に保持され、前記押さえ部６０ｂと記録紙載置面７３との間には記録紙収納用の空所が形成される。
【００４３】
後板支持枠６８を箱体７５から引き出すと基部でクリックされ、さらに後板６７を時計方向に回動して起立させると図３に示すような状態となる。
記録紙６６を記録紙載置面７３と紙押さえ６０の押さえ部６０ｂとの間に挿入すると、記録紙６６の下部先端はセパレータ６１の当接面７４に当接する。
その状態で、紙押さえ６０を時計方向に回動させると、紙押さえ６０の止め部６０ｆとボトムプレート６４の突起６４ｃとの係合が解除され、押さえ部６０ｂは記録紙６６の表面を仮想線で示す如く当接して保持する。
尚、紙押さえ部６０ｂの自重は、記録紙６６の給紙状態に何ら影響しない重さである。
【００４４】
一方、紙押さえ６０の止め部６０ｆとボトムプレート６４の突起６４ｃとの係合が解除されると、ボトムプレート６４が時計方向に回動するが、その際の衝撃により記録紙６６の先端部は振動し、先端部の密着状態はほぐされ、ボトムプレート６４の先端部分が記録紙６６の下面を上方に押圧して、記録紙６６の表面を給紙ローラ５１の表面に押圧接触する。
そのときは、上側の記録紙の先端は下側の記録紙先端より若干進行方向に送り出された状態で記録紙は給紙ローラ５１とボトムプレート６４とによって保持される。
【００４５】
この状態で、フィーダ６５を画像形成装置本体から取り外す際に、給紙ローラ５１の表面へ押圧されている記録紙６６が、給紙ローラ５１から離間することによって、ボトムプレート６４はバネ６３により、図３上時計方向に回動する。その回動による押圧力により、ボトムプレート６４が紙押さえ６０の先端６０ｆを押し、紙押さえ６０は支点６０ａを中心に時計方向に回転する。この回転力は、紙押さえ部６０ｂで記録紙６６を下方向に押すために、記録紙６６が滑り落ちることを防止できる。
また、フィーダ６５を画像形成装置本体から取り外すと、記録紙６６がローラ５１から離れるためにボトムプレート６４により押し上げられるが、紙押さえ６０の先端６０ｆがボトムプレート６４に接触するために、必要以上の押し上げを抑えることができる。
また、記録紙６６の積載枚数により紙押さえ部６０ｂの位置は支点６０ａを中心として変動する為、支点６０ａを介して先端６０ｆの位置が変わり、たとえば、記録紙枚数が多ければ、前記先端６０ｆによってボトムプレート６４をより下方に押し込む。
そして、このボトムプレート６４の上に記録紙６６が乗っているため、積載枚数によらず、給紙ローラ５１と押圧接触する最上部の記録紙６６の位置は変化せず、再びフィーダ６５を画像形成装置本体に装着する際に、記録紙６６がローラ５１の下側に入るようになる。
【００４６】
操作者の図示しない指令操作に同期して、給紙ローラ５１が時計方向に回転すると、給紙ローラ５１の表面は記録紙６６の摩擦係数より大きい摩擦係数を有しているので、一番上の記録紙の送出を開始する。この一番上の記録紙の下面はセパレータ６１に貼設されたフリクションパッド６２と接触するが、給紙ローラ５１の摩擦係数μ１はフリクションパッド６２の摩擦係数μ２より大きいので記録紙はフリクションパッド６２によって停止させられることがなく、送出される。
【００４７】
何らかの事情で、２枚の記録紙が給紙ローラ５１とフリクションパッド６２との間に挿入された場合においても、フリクションパッド６２の摩擦係数μ２は記録紙の摩擦係数より大きいので、下の記録紙はフリクションパッド６２により停止され、上の記録紙は給紙ローラ５１によって送出される。
【００４８】
操作中に、万一状態が悪い記録紙が混入していた場合は、該記録紙がジャムとなり、画像形成装置は停止し、給紙ローラも停止するが、その際には、紙押さえ６０の梁６０ｅの内面６０ｃを押して、図１上反時計方向に回動し、紙押さえ６０の爪部６０ｆとボトムプレート６４の突起６４ｃとを係合して紙押さえ６０を実線位置に保持させる。
【００４９】
この状態で、ボトムプレート６４による記録紙６６を給紙ローラ５１表面への押圧力が解除されるとともに、紙押さえ６０の押さえ部６０ｂによる記録紙６６への押圧が解除され、給紙ローラ５１と記録紙との間にジャムした記録紙を容易に取り除くことができる。
【００５０】
また、給紙ローラ５１とセパレータ６１との間にジャムした記録紙は、セパレータ６１のフリクションパッド６２部分が給紙ローラ５１に対して接離可能に構成されているので、ジャムした記録紙表面を押すことによって容易にジャムした記録紙を取り除くことができる。
【００５１】
図８は、フィーダの給紙部分の機構の他の実施の形態を示す図である。（ａ）は、セパレータ６１の代わりに、表面をフッ素コートして記録紙より大きい値の摩擦係数を付与したマイラーシート７８を給紙ローラ５１側に貼設したセパレータ７７Ａを設けたものである。
【００５２】
また、（ｂ）は、セパレータ６１とともに、表面をフッ素コートして記録紙より大きい値の摩擦係数を付与したマイラーシート７８を給紙ローラ５１側に貼設したセパレータ７７Ｂを設け、セパレータ７７Ｂの先端部７７Ｂａにおいて、記録紙６６が接触するように構成したものである。
フリクションプレート６２で静電気が発生して帯電しても前記先端部７７Ｂａにおいて除電可能に構成したものである。
【００５３】
また、（ｃ）は、セパレータ６１の代わりに、記録紙より大きい値の摩擦係数を付与したバネ性を有する細線を給紙ローラ５１側に貼設したセパレータ７７Ｃを設けたものである。
【００５４】
本実施の形態においては、フィーダ６５は、記録紙を載置する記録紙載置面７３と、該記録紙載置面７３に記録紙を押圧保持する保持位置と、前記押圧保持を解除する離間位置とを選択的に取得可能に構成された紙押さえ６０と、前記離間位置において、記録紙の先端が当接する当接面７４を有するセパレータ６１とを備えて構成されているが、前記記録紙載置面７３を前記当接面７４側に延長した延長線Ｌ４に対して、前記給紙装置用給紙ローラ５１の中心点から垂直に下ろした直線Ｌ２と、前記当接面７４もしくは、該当接面７４の延長線との成す角度βが、５゜〜３５゜で構成することが望ましい。
【００５５】
今、紙押さえ６０を前記離間位置にある時に、記録紙６６を前記記録紙載置面７３上に載置すると、重力線Ｌ１と前記延長線Ｌ４との交点Ｐ１より左側の記録紙は重力により若干垂れ下がり、記録紙の先端が前記当接面７４と当接する。
この垂れ下がりのために、前記延長線Ｌ４の交点Ｐ１と、前記直線Ｌ２と前記延長線Ｌ４との交点Ｐ２間の長さより記録紙６６の前記交点Ｐ１から先端までの長さが長くなり、前記紙押さえ６０が前記離間位置から保持位置へ移行する際に、ボトムプレート６４から外れた衝撃で記録紙の先端部がほぐされる。
【００５６】
そして、前記当接面７４は、延長線Ｌ３で表されるように前記直線Ｌ２と角度βを有して交点Ｐ３にて交差し、交点Ｐ２と前記当接面７４とは若干の間隔離間しているので、下側より上側の記録紙が送り出し方向に進行した位置を取ることができ、給紙ローラ５１表面に記録紙の良好な押圧接触が可能である。
【００５７】
また、前記記録紙載置面は、重力方向に対して、３０゜〜４５゜の角度傾斜して配置することが望ましい。
図１に示すように、前記記録紙載置面７３は、重力線Ｌ１と角度αを有して配置されている。この角度αを多く取りすぎると、記録紙６６の先端が交点Ｐ１を支点として時計方向に浮きあがり、記録紙６６の表面が給紙ローラ５１の表面に当たり、湾曲した状態で紙押さえ６０によって保持されるので、ジャムの原因となる。
【００５８】
また、前記角度αを少なく取ると、ストッパ手段６１の当接面７４で記録紙の先端が撓み、湾曲した状態で前記記録紙６６を前記記録紙載置面７３上に載置されるので、その状態で紙押さえ６０によって保持され、記録紙先端が下側に曲がった状態で給紙ローラ５１表面と押圧接触し、ジャムの原因となる。
【００５９】
本実施の形態は、前記記録紙載置面が、重力方向に対して、３０゜〜４５゜の角度傾斜して配置されているので、良好な給紙動作を実現することができる。
【００６０】
以上詳述したように、本実施の形態は、フィーダ６５を画像形成装置本体に対して着脱可能に構成し、給紙装置用給紙ローラ５１を前記画像形成装置本体内の給紙装置取付開口部内に配置し、フィーダ６５の交換に際して共通して使用するように構成し、前記画像形成装置本体に、フィーダ６５が装着されている状態において、フィーダ６５内の記録紙が前記給紙ローラ５１外周表面に押圧接触可能に構成した。
【００６１】
したがって、給紙ローラ５１は画像形成装置本体内に配置されたままであるために、前記給紙ローラ５１と図示しない画像形成装置本体内の減速駆動機構との連結は良好に保持される。
【００６２】
また、フィーダ６５内の記録紙６６が前記給紙ローラ５１外周表面に、図１の仮想線６６′で示すように押圧接触可能に構成されているので、フィーダを交換装着することによって記録媒体に適合した仕様で押圧接触することができ、良好な給紙が保証される。
【００６３】
【発明の効果】
以上記載したごとく本発明によれば、前記画像形成装置本体内の開口部内に給紙ローラを回転自在に配設し、さらに、記録紙先端部を載置して、該記録紙先端部を前記給紙ローラ表面に押圧する押圧位置と、前記記録紙先端部の押圧を解除する離間位置とを選択的に取得可能な記録紙押圧手段と、前記押圧位置及び前記離間位置との間の前記記録紙押圧手段の移動を制御する移動制御手段とを配設し、前記移動制御手段の操作により前記記録紙先端部の押圧を解除可能に構成し、さらに前記移動制御手段は前記離間位置において、前記記録紙押圧手段と係合して自己保持される。
したがって、移動制御手段の操作により、前記記録紙先端部の前記給紙ローラへの押圧が解除され、容易にジャムした記録紙を排除することができ、さらに、操作者が前記移動制御手段を押さえて、前記離間位置に保持する必要はなく、容易にジャムした記録紙を排除することができる。
【００６４】
また、本発明は、前記記録紙押圧手段の下流側に、記録紙を介して前記給紙ローラを押圧する表面当接面とを有する前記給紙ローラに対して接離自在な記録紙分離手段を設け、前記移動制御手段の操作により、前記表面当接面より上流側の記録紙の先端部の押圧を解除して、記録紙の先端を前記先端当接面側に退避させるように構成しているので、記録紙の上面から記録紙分離手段を押すことにより容易にジャムした記録紙を引き出すことができる。
【００６６】
さらに、本発明では、前記移動制御手段を、前記押圧位置において、記録紙表面と当接して記録紙を当接保持する保持面を有して構成しているので、記録紙が上方に浮き、給紙状態が変化してジャムを起因する恐れが少ない。
【００６７】
また、本発明は、前記保持面を、記録紙の進行方向に沿って延在し、記録紙を両側端側をガイドするガイド手段の領域内の記録紙表面と当接するように配設しているので、記録紙の浮きとともに、左右のズレを押さえ良好な給紙動作を実現することができる。
【図面の簡単な説明】
【図１】本発明の実施の形態に係る動作を説明する説明図である。
【図２】使用状態位置に傾斜配置し、記録紙が装着されていない状態を示すフィーダの断面図である。
【図３】使用状態位置に傾斜配置し、記録紙を装着した状態を示すフィーダの断面図である。
【図４】後板を引き上げた状態を示すフィーダの斜視図である。
【図５】後板支持板を引き出した状態を示すフィーダの斜視図である。
【図６】画像形成装置のフィーダ取付部分を示す斜視図である。
【図７】画像形成装置本体にフィーダを装着した状態を示す断面図であり、（ａ）は収納状態を示す図、（ｂ）は使用状態位置に傾斜配置した状態を示す図である。
【図８】フィーダの給紙部分の機構の他の実施の形態を示す図であり、（ａ）は第２実施形態を示す図、（ｂ）は第３実施形態を示す図、（ｃ）は第４実施の形態を示す図である。
【図９】本発明が適用される画像形成装置の一実施の形態を示す構成図である。
【図１０】画像形成装置本体にフィーダを装着した状態を示す斜視図であり、（ａ）は収納状態を示す図、（ｂ）は使用状態位置に傾斜配置した状態を示す図である。
【符号の説明】
１      画像形成装置
５０      前方扉
５１      給紙ローラ
５５      コロ
５６      コロ支持部
５７      給送ローラーカバー
５８      支持ダボ
６０      紙押さえ（移動制御手段）
６１      セパレータ
６２      フリクションパッド
６４      ボトムプレート（記録紙押圧手段）
６５      フィーダ（給紙装置）
６６      記録紙
６７      後板
６８      後板支持板
７０      外部給紙装置
７１      排紙装置
７２      開口部
７３      記録紙載置面
７４      当接面
７６      ペーパーガイド
７７      セパレータ（７７Ａ，７７Ｂ，７７Ｃ）
７８      マイラシート
７９      細線
【図１】
0003558196.tif 000002
【図２】
0003558196.tif 000003
【図３】
0003558196.tif 000004
【図４】
0003558196.tif 000005
【図５】
0003558196.tif 000006
【図６】
0003558196.tif 000007
【図７】
0003558196.tif 000008
【図８】
0003558196.tif 000009
【図９】
0003558196.tif 000010
【図１０】
0003558196.tif 000011